(57)【要約】【課題】人の手を汚さず、かつ清潔に取り換えることが出来る、医療用吸引器具を提供すること。【解決手段】真空モーター（１）と，真空モーター（１）に一方端が取り着けられた吸引管（２）及び排気管（３）と，吸引管（２）の他方端が取り着けられた取り外し可能な蓋（１０）を有する汚水及び汚物用容器（４）と，汚水及び汚物用容器（４）に取り着けられた汚水及び汚物用吸い込み管（５）と，汚水及び汚物用容器（４）に入った、汚水及び汚物の所定の位置を感知するための光電子センサー（６，６’）と，真空モーター（１），光電子センサー（６，６’）及びスイッチ（８）に繋ぐよう配置された制御器（７）と，制御器（７）に取り着けられた警告機器（９，９’）と，からなること。【選択図】　図１
2004121711.tif 000002
【特許請求の範囲】
【請求項１】
真空モーター（１）と，真空モーター（１）に一方端が取り着けられた吸引管（２）及び排気管（３）と，吸引管（２）の他方端が取り着けられた取り外し可能な蓋（１０）を有する汚水及び汚物用容器（４）と，汚水及び汚物用容器（４）に取り着けられた汚水及び汚物用吸い込み管（５）と，汚水及び汚物用容器（４）に入った、汚水及び汚物の所定の位置を感知するための光電子センサー（６，６’）と，真空モーター（１），光電子センサー（６，６’）及びスイッチ（８）に繋ぐよう配置された制御器（７）と，制御器（７）に取り着けられた警告機器（９，９’）と，からなることを特徴とする医療用吸引器具。
【請求項２】
前記汚水及び汚物用容器（４）がガラス、又はプラスチック製であることを特徴とする医療用吸引器具。
【請求項３】
前記警告機器（９，９’）が警告灯及び／又は警告ブザーであることを特徴とする医療用吸引器具。
【発明の詳細な説明】
【０００１】
【発明の属する技術分野】
本発明は、医療用の汚水及び汚物を吸い込む吸引器具、詳しくは汚水及び汚物が真空モーター（吸引モーター）へ直接吸い込まれることを防止することの出来る医療用吸引器具に関する。
【０００２】
【従来の技術】
従来の医療用吸引器具に関しては、外傷をつくらず、不都合なノイズを発しない吸引器具（例えば特許文献１参照），シリンダ室内部に菌が進入することがなく、しかも吸引量を正確に測定することでのできる吸引器具（例えば特許文献２参照）、環境を汚染しないで且つ円滑に安定良好に廃液の吸引貯留ができ、また硬軟を問わず所望の貯留容器が自由に使用できる吸引器具（例えば特許文献３参照）等がある。
【０００３】
【特許文献１】
特開平５−９５９９７号公報（発明の詳細な説明［０００６］）
【特許文献２】
特開平１０−５７４７３号公報（発明の詳細な説明［０００６］）
【特許文献３】
特開平１１−３４２１９４号公報（発明の詳細な説明［０００３］）
【０００４】
【発明が解決しようとする課題】
しかしこれら従来の医療用吸引器具は、真空モーターへ汚水及び汚物が全く吸い込まれることがなく，又真空モーターが加熱を起こさず，又汚水及び汚物用容器に入った汚水及び汚物を監視することなく、かつ汚水及び汚物用容器を取り換える人の手を汚さず、かつ清潔に取り換えることが出来る、という多目的の用途をもった医療用吸引器具ではない。
【０００５】
そこで本発明は、真空モーターへ汚水及び汚物が全く吸い込まれることがなく，又真空モーターが加熱を起こさず，又汚水及び汚物用容器に入った汚水及び汚物を監視することなく、かつ汚水及び汚物用容器を取り換える人の手を汚さず、かつ清潔に取り換えることが出来る、という多目的の用途をもった医療用吸引器具を提供することを目的とする。
【０００６】
【課題を解決するための手段】
前記目的を達成するために、本発明の医療用吸引器具は、真空モーターと，真空モーターに一方端が取り着けられた吸引管及び排気管と，吸引管の他方端が取り着けられた取り外し可能な蓋を有する汚水及び汚物用容器と，汚水及び汚物用容器に取り着けられた汚水及び汚物用吸い込み管と，汚水及び汚物用容器に入った、汚水及び汚物の所定の位置を感知するための光電子センサーと，真空モーター，光電子センサー及びスイッチに繋ぐよう配置された制御器と，制御器に取り着けられた警告機器と，からなる。
又、前記汚水及び汚物用容器がガラス、又はプラスチック製であることが好適である。
さらに、前記警告機器が警告灯及び／又は警告ブザーであることが好適である。
【０００７】
【発明の実施の形態】
以下本発明の実施の形態の一例を図面に基づいて説明する。
【０００８】
図１は本発明の医療用吸引器具を示す図である。
吸引管２と排気管３の一方端が真空モーター１に取り着けられている。吸引管２の他方端は汚水及び汚物用容器４に設けられている取り外し可能な蓋１０を通して当該汚水及び汚物用容器４内まで伸びている。真空モーター１の作動により吸引器２を通して汚水及び汚物用容器４の内の空気の圧力を下げるものである。当該容器４の内の圧力を下げることにより当該容器４に設けられた取り外し可能な蓋１０を通して、取り着けられた汚水及び汚物用吸い込み管にて患者の汚水及び汚物が当該容器４に入ってくるものである。排気管３は単に当該容器４の空気を排気するものである。当該容器４はガラス又はプラスチック製のビンが好適である。
【０００９】
真空モーター１，光電子センサー６，６’及び警告機器９，９’が制御器７に繋がれており、さらに当該制御器７はスイッチ８に繋がっている。スイッチ８を入れることにより真空モーター１，光電子センサー６，６’及び制御器７が作動する。汚水及び汚物用容器４に汚水及び汚物用吸い込み管５を通して、汚水及び汚物が入り、当該汚水及び汚物が光電子センサー（送）６及び光電子センサー（受）６’の定める一定の位置まできたとき、制御器７に取り着けられている警告灯９がつき、又は警告ブザー９’が鳴るしくみになっている。警告機器としては警告灯９，警告ブザー９’等警告を発するものなら何でも良く、又警告灯９だけ、警告ブザー９’だけを取り着けても良いし、双方を取り着けても良い。光電子センサー６，６’の作用及び当該警告機器９，９’の作用により、汚水及び汚物用容器４を監視する必要がなくなるものである。
【００１０】
又、光電子センサー６，６’が定める一定の位置まで、当該容器４の内の汚水及び汚物がきたとき、制御器７の作用により真空モーター１の作動が止まるようになっている。このことにより、真空モーター１は過熱を起こさずに済み、又光電子センサー６，６’が定める一定の位置までしか汚水及び汚物が入らないようになり、そのため真空モーター１へ汚水及び汚物が全く吸い込まれないようにすることが出来、医療用吸引器具の外の環境を汚染することを防止することが出来る。
【００１１】
さらに、汚水及び汚物用容器４に取り着けられている蓋１０をはずして新しい汚水及び汚物用容器４に取り換えれば良いので、又瓶口が汚れていないので（汚水、汚物は瓶口のところまでこない。）当該容器４を取り換える人の手を汚さず、かつ清潔に、又簡単に取り換えることが出来るものである。
【００１２】
図２は本発明の医療用吸引器具の収納状態を示す簡略図である。
吸引ボックス１２には汚水及び汚物用容器４及び取り換え用（予備）の汚水及び汚物用容器１１，光電子センサー６，６’，及び真空モーター１等が収納され、制御ボックス１３にはスイッチ８，制御器７，警告機器９，９’等が収納されている。
【００１３】
本発明は以上の構成を有するので、真空モーターへ汚水及び汚物が全く吸い込まれることがなく，又真空モーターが加熱を起こさず，又汚水及び汚物用容器に入った汚水及び汚物を監視することなく、かつ汚水及び汚物用容器を取り換える人の手を汚さず、かつ清潔に、又簡単に取り換えることが出来るものである。
【図面の簡単な説明】
【図１】医療用吸引器具を示す図である。
【図２】医療用吸引器具の収納を示す簡略図である。
【符号の説明】
１　　　真空モーター
２　　　吸引器
３　　　排気管
４　　　汚水及び汚物用容器
５　　　汚水及び汚物用吸い込み管
６，６’光電子センサー
７　　　制御器
８　　　スイッチ
９，９’警告機器
１０　　取り外し可能な蓋
１１　　取り換え用の汚水及び汚物用容器
１２　　吸引ボックス
１３　　制御ボックス
【図１】
2004121711.tif 000003
【図２】
2004121711.tif 000004